(57)【要約】  近年、一次元バーコードまたは二次元バーコードの認識によるインターネット接続サービスが普及するにつれ、ＰＣカメラ、ＰＤＡまたは携帯電話のカメラを利用したコード認識方法及び装置が広く使われている。しかし、かかるカメラは、バーコードなどを入力するとき、バーコードとの距離及びカメラの焦点を手動で合わせなければならない。さらに、多くのコードが配置されている場合、いずれか一つを選択するのは困難である。カメラの分離／付着が可能なマウス構造が開示されている。カメラの分離／付着が可能なマウスにおいて、マウスの側面を介してカメラの分離／付着が可能な空間と、外部映像をマウス内で反射しマウスに収容されたカメラレンズに到達させるマウスの底に形成されたウインドウを備える。これにより、カメラの分離／付着が可能であり、マウス及びカメラの機能を同時に使用できる。
2008516333.tif 000002
【特許請求の範囲】
【請求項１】
側面を介してカメラの挿入／分離が可能なカメラ収容部と、
底部に形成された映像入力ウインドウと、
前記映像入力ウインドウを介して入力される外部映像を前記カメラ収容部に挿入されたカメラのレンズに向けて反射する反射部と、
を備えることを特徴とするマウス。
【請求項２】
前記映像入力ウインドウは、透明な部材から形成されることを特徴とする請求項１に記載のマウス。
【請求項３】
前記マウスに配置され前記カメラ収容部に挿入された前記カメラのレンズ焦点調節部と接続される焦点調節部をさらに備えることを特徴とする請求項１に記載のマウス。
【請求項４】
前記マウスの側面に配置され凹レンズ及び凸レンズに接続された焦点距離調節部をさらに備え、該焦点距離調節部は前記反射部と前記カメラのレンズとの間で前記外部映像が通過する経路と垂直な面で前記凹レンズ及び前記凸レンズを移動することを特徴とする請求項１に記載のマウス。
【請求項５】
前記焦点距離調節部は、前記外部映像が通過する前記経路と平行に前記凹レンズ及び前記凸レンズを前方／後方に移動可能であることを特徴とする請求項４に記載のマウス。
【請求項６】
カメラを収容するための空間を有するカメラ収容部と、
底部に形成された第１映像入力ウインドウと、
上部に形成された第２映像入力ウインドウと、
を備え、
前記カメラ収容部に設置されたカメラのレンズは上方／下方に移動可能であり、前記カメラの前記レンズが下方に移動したとき該カメラの該レンズは前記第１映像入力ウインドウに到達し、前記カメラの前記レンズが上方に移動したとき該カメラの該レンズは前記第２映像入力ウインドウに到達することを特徴とするマウス。
【請求項７】
前記カメラ収容部は、前記マウスの側面を介して前記カメラの挿入／分離が可能であることを特徴とする請求項６に記載のマウス。
【請求項８】
前記カメラ収容部は、前記カメラが挿入／分離される側面にカバーを備え、
該カバーは、前記カメラ収容部から前記カメラが分離されたとき該カメラ収容部を覆い、前記カメラ収容部に前記カメラが挿入されたとき該カメラ収容部の内部に折り畳まれることを特徴とする請求項１または請求項７に記載のマウス。
【請求項９】
前記カメラ収容部は、該カメラ収容部の内部空間の底部にスプリングを備え、
該スプリングは、一回押されると圧縮され、もう一回押されると定常状態に戻ることを特徴とする請求項１または請求項６に記載のマウス。
【請求項１０】
レンズの周囲に照明を有するカメラを挿入／分離することを特徴とする請求項１または請求項６に記載のマウス。
【請求項１１】
コンピュータと無線通信を行うカメラを挿入／分離することを特徴とする請求項１または請求項６に記載のマウス。
【請求項１２】
前記カメラ収容部に設置された前記カメラと接続され、電力を供給し、データ通信を行うインターフェース部をさらに備えることを特徴とする請求項１または請求項６に記載のマウス。
【請求項１３】
側面に所定サイズの溝を有する本体部と、
前記溝のサイズと同じサイズであり、カメラが挿入／分離されるカメラ収容部と、
前記カメラ収容部が回転可能なように前記カメラ収容部と前記マウス本体とを接続する接続部と、
底部に形成され、前記カメラのレンズに映像を入力可能な映像入力ウインドウと、
を備えることを特徴とするマウス。
【請求項１４】
前記接続部は、前記マウスの前記本体部に形成され開放部を有する第１円形ソケットと該第１円形ソケットに対応する位置の前記カメラ収容部に形成された円形ボールとを、前記カメラ収容部が全方向に回転可能なように接続することを特徴とする請求項１３に記載のマウス。
【発明の詳細な説明】
【技術分野】
【０００１】
本発明はコンピュータマウスに係り、さらに詳細にはカメラの分離／付着が可能なマウスに関する。
【背景技術】
【０００２】
近年、一次元バーコードまたは二次元バーコードの認識によるインターネット接続サービスが普及するにつれ、ＰＣ（Personal Computer）カメラ、ＰＤＡカメラまたは携帯電話のカメラを利用したコード認識方法及び装置が広く使われている。しかし、かかるカメラは、バーコードなどを入力するときに、バーコードとの距離及びカメラの焦点を手動で合わせなければならない。さらに、多くのコードが配置されている場合に、いずれか一つを選択するのは困難である。
【０００３】
かかる問題点を解決するために、マウスにカメラを内蔵した形態の装置が提案された。従来のカメラが内蔵されたマウスは、コードとカメラとの間の焦点距離を固定させることにより、マウスを単に所望のコード上に載せれば、コードを読むことができる。
【０００４】
しかし、カメラが内蔵されたマウスを使用する場合に表れる問題点は、カメラがマウスの位置によって動くようになるので、カメラ固有の役割が制限される。また、画像通信などのためにカメラを使用する場合に、マウスは、その役割を果たせない。すなわち、マウスやカメラのうち、いずれか一方の機能を中心に使われ、二種の機能を同時に使用できないという問題点がある。
【０００５】
他の問題点は、カメラの入力ウインドウがマウスの下端に位置するので、カメラは常にマウスが位置した地点の映像だけを入力されるので、カメラを融通性あるように使用し難い。また、カメラの焦点距離が固定されているので、カメラを画像通信用に使用するのが事実上不可能である。そのため、画像通信のためには、追加のカメラが必要である。１つのＰＣで２台のカメラを使用するためには、手動によって使用するカメラを選択するか、またはプログラムを介してこれを調整せなばならない。特に、２台のカメラを同時に使用する場合、複雑なプログラムが必要である。
【発明の開示】
【発明が解決しようとする課題】
【０００６】
本発明が解決しようとする技術的課題は、マウスにカメラが分離／付着可能なようにしつつ、マウスに収容されたカメラの焦点距離調節が可能なようにし、マウス及びカメラの機能をいずれも使用できるようにするマウス構造を提供するところにある。
【０００７】
本発明が解決しようとする他の技術的課題は、マウスに収容されたカメラのレンズを上下に動くようにし、マウス底に位置した映像だけではなく、マウスの上側を介して映像を入力可能にすることにより、マウス及びカメラの機能を同時に使用可能にするマウス構造を提供するところにある。
【０００８】
本発明が解決しようとするさらに他の技術的課題は、マウスに収容されたカメラ部分を上下左右に動きを可能にし、マウス機能及びカメラ機能を同時に使用可能にするマウス構造を提供するところにある。
【課題を解決するための手段】
【０００９】
本発明によるマウスの一実施形態は、側面を介してカメラの挿入／分離が可能なカメラ収容部と、底部に形成された映像入力ウインドウと、前記映像入力ウインドウを介して入力される外部映像を前記カメラ収容部に挿入されたカメラのレンズに向けて反射する反射部と、を備えることを特徴とする。
【００１０】
本発明によるマウスの他の実施形態は、カメラを収容するための空間を有するカメラ収容部と、底部に形成された第１映像入力ウインドウと、上部に形成された第２映像入力ウインドウと、を備え、前記カメラ収容部に設置されたカメラのレンズは上方／下方に移動可能であり、前記カメラの前記レンズが下方に移動したとき該カメラの該レンズは前記第１映像入力ウインドウに到達し、前記カメラの前記レンズが上方に移動したとき該カメラの該レンズは前記第２映像入力ウインドウに到達することを特徴とする。
【００１１】
本発明によるマウスの他の実施形態は、側面に所定サイズの溝を有する本体部と、前記溝のサイズと同じサイズであり、カメラが挿入／分離されるカメラ収容部と、前記カメラ収容部が回転可能なように前記カメラ収容部と前記マウス本体とを接続する接続部と、底部に形成され、前記カメラのレンズに映像を入力可能な映像入力ウインドウと、を備えることを特徴とする。
【発明の効果】
【００１２】
本発明によれば、マウスにカメラの分離／付着が可能であり、カメラの焦点距離及び外部映像の拡大縮少、距離調節が可能である。また、マウスに収容されたカメラを上下または左右に動かすように構成し、マウス底面からバーコード、二次元コードなどを入力されることが可能であるだけではなく、マウスからカメラを分離／付着する必要なしに空間上の映像を入力されて画像通信などを行うことが可能である。
【発明を実施するための最良の形態】
【００１３】
以下、添付された図面を参照しつつ、本発明によるマウスについて詳細に説明する。
【００１４】
図１Ａないし図１Ｅは、本発明によるマウスの一実施形態の構造を図示した図面である。図１Ａはマウスの上面図、図１Ｂはマウスの側面図、図１Ｃはマウスの下面図及び図１Ｄはマウスの後面図を図示した図面である。そして、図１Ｅは、マウスが分離される部分のカバー部分を図示した上面図である。
【００１５】
図１Ａないし図１Ｃを参照すれば、マウス１００は、カメラ１３０を分離／付着できるカメラ収容部１１０、カメラ収容部にカメラ１３０挿入／抽出される所に位置したカバー１２０、外部映像が入力される映像入力ウインドウ１５０、入力された映像をカメラレンズ側に反射する反射部１４０を備える。
【００１６】
カメラ収容部１１０は、収容されるカメラ１３０の大きさにより、内部カメラ収納空間の構造が決定され、収容されるカメラ１３０の一実施形態は、図２Ａ及び図２Ｂに図示されている。例えば、カメラが図４Ａないし図４Ｃに図示されているように、レンズ部分が突起形態ではなければ、これによってカメラ収容部の内部空間も変形する。
【００１７】
カメラ収容部１１０はカバー１２０を備え、カバー１２０は、カメラが分離された場合には、カメラ収容部１１０を覆っており、カバー１２０は、図１Ｅでのように、カメラ収容部の内部空間側に折り込まれる構造によりなっており、カメラが付着されうる。カバー１２０が収容されることにより、カメラ１３０が分離された場合に、ホコリや異物などがマウスの内部に入り込むことを防止する。
【００１８】
映像入力ウインドウ１５０は、マウス１００の底に形成され、外部映像をカメラ１３０に入力させる。映像入力ウインドウ１５０は、単にウインドウーのみを出して構成するか、またはガラスや透明プラスチックのように透明な物質を利用して具現されうる。ガラスや透明プラスチックを利用する場合に、マウス１００内部への異物やホコリの入り込みを防止できるので効果的である。
【００１９】
反射部１４０は、映像入力ウインドウ１５０に入る入力映像をカメラ収容部１１０に収容されるカメラ１３０のレンズ１３２に反射させる。カメラ収容部１１０に収容されるカメラ１３０のレンズが直接映像入力ウインドウ１５０から外部映像を入力される場合、外部映像とカメラレンズ１３２との距離が短く、焦点を合わせ難いという問題点がある。従って、外部映像とカメラレンズ１３２との距離を長く拡張するために、反射部１４０を介して外部映像をカメラレンズに達させる。
【００２０】
図２Ａ及び図２Ｂは、マウスに収容されるカメラの一実施形態の構造を図示した図面である。図２Ａは、カメラの側面図であり、図２Ｂは、カメラの正面図である。
【００２１】
図２Ａ及び図２Ｂを参照すれば、カメラ１３０は、本体２００とレンズ１３２とに大別され、レンズ１３２は、図２Ａでのように突起していたり、または図４Ａでのように突起していない形態でありうる。カメラ１３０は、照明スイッチ２１０、カメラ機能スイッチ２１２及びカメラ作動表示灯２１４を備え、カメラ機能スイッチ２１２は、スナップショットのような機能を提供するためのスイッチであり、照明スイッチ２１０は、カメラの照明を点灯することができる装置である。照明２２０は、カメラの照明スイッチなしに、カメラの状態によって自動的にオン／オフされる。照明２２０は、カメラ１３０ではなくマウス１００に収容されることもある。
【００２２】
そして、カメラ１３０は、電源部／インターフェース部２３０を備える。インターフェース部２３０は、無線または有線を介してコンピュータとデータを送受信する。
【００２３】
図３Ａないし図３Ｃは、本発明によるマウスの他の実施形態の構造を図示した図面である。図３Ａは上面図、図３Ｂは側面図、図３Ｃは下面図である。
【００２４】
図３Ａないし図３Ｃを参照すれば、本発明によるマウス３００は、カメラが収容されるカメラ収容部３２０、マウス底の第１映像入力ウインドウ３３０及びマウスの上側の第２映像入力ウインドウ３１０を備える。
【００２５】
カメラ収容部３３０は、図１Ａないし図１Ｃで説明した通り、収容されるカメラの構造によって内部空間が構造が決定され、カメラが収容される入口側にカバーを備える。または、カメラ収容部３３０なしに、カメラはマウスに固定されて収容されうる。
【００２６】
カメラ３２０は、図４Ａないし図４Ｃに図示されているように、カメラのレンズ３２８が上下に動くことができるものを使用し、マウスの上側にある第２映像入力ウインドウ３１０及びマウス下側にある第１映像入力ウインドウ３３０を介して外部映像を入力されうる。カメラについては、図４Ａないし図４Ｃを参照して詳細に説明する。
【００２７】
図３Ａないし図３Ｃの場合は、カメラのレンズが上下に動くことができる場合を図示したが、カメラ収容部自体がマウスの所定軸に固定されて上下左右に動くように具現でき、その場合に、カメラのレンズは固定されたものを使用できる。
【００２８】
第１映像入力ウインドウ３３０は、マウス３００の底に位置し、底表面にあるバーコード、二次元イメージコードのような映像がカメラレンズに到達できるウインドウを提供する。このとき、カメラのレンズ３２８は、第１映像入力ウインドウ３３０に向かうように調整する。
【００２９】
第２映像入力ウインドウ３１０は、マウス３００の上側に位置し、外部映像をカメラレンズ３２８に到達させる。ユーザは、カメラを画像通信用に使用するために、カメラをマウスから分離する必要なしにマウスの上側ウインドウ３１０を介して外部映像をカメラに入力させ、画像通信用などのカメラ固有機能を使用できる。
【００３０】
図４Ａないし図４Ｃは、図３Ａないし図３Ｃに図示されたマウスに収容されるカメラの一実施形態の構造を図示した図面である。
【００３１】
図４Ａないし図４Ｃを参照すれば、カメラ３２０は、図２Ａ及び図２Ｂに図示されたカメラとは異なり、カメラのレンズ３２８が上下動が可能である。図３Ａないし図３Ｃに図示されたマウス３００の上側及び底に２つのウインドウ３１０，３３０が存在し、この２つのウインドウのうちいずれか１つのウインドウから映像を入力されるために、カメラのレンズは上下に移動する。図３Ａないし図３Ｃのマウスのカメラ収容部３４０が上下回転が可能な場合には、図２Ａ及び図２Ｂに図示されたカメラレンズの動きが固定されたカメラの使用も可能である。
【００３２】
従って、図４Ａないし図４Ｃのカメラ３２０は、カメラ作動表示灯３２２、照明スイッチ３２４以外に、レンズ角度調節スイッチ３２６を備える。ユーザは、レンズ調節スイッチ３２６を時計方向または逆時計方向に回してレンズを上下に動かすことが可能である。レンズ３２８の周囲には照明４０４が存在し、外部が暗い場合に、映像を入力されることが可能である。照明４０４は、外部映像が入力されるマウス３００の第１映像入力ウインドウ３３０及び第２映像入力ウインドウ３１０の周囲に収容することもできる。
【００３３】
図５Ａないし図５Ｆは、本発明によるマウスからカメラを容易に分離できる構造を図示した図面である。
【００３４】
図５Ａ及び図５Ｂを参照すれば、マウスのカメラ収容部５００は、カメラが挿入される方向の底にスプリング５２０を備える。スプリング５２０は、一度押し入れたとき、押し入れられた状態で固定され、さらに押したときに元の状態に戻る。かかるスプリング５２０自体は、公知の技術であって詳細な説明は省略する。
【００３５】
ユーザがカメラ５１０をマウスに付着する場合、スプリング５２０は、一度押し入れられることにより、カメラが付着された状態を維持し、さらにカメラを挿入方向に押せば、スプリング５２０はさらに押されてスプリングが元の状態に戻ってくるので、カメラは外部に排出される。
【００３６】
図５Ｃ及び図５Ｄを参照すれば、図５Ａ及び図５Ｂのスプリング５２０の押し入れを、別途のスイッチ５３０を介して具現した構造を図示した図面である。カメラをマウスに押し入れれば、スプリングは、一度押し入れられることにより、押し入れられた状態に維持される。カメラを分離しようとする場合、外部に備わったスイッチ５３０を押せば、スプリングが押し入れられた状態が解除されてスプリングが伸長するので、カメラは外部に排出される。
【００３７】
図５Ｅ及び図５Ｆを参照すれば、カメラ５１０が収容される方向の底に外部と連結されたスイッチ５４０を具備する。スイッチ５４０を押することにより、簡単にカメラを外部に排出できる。
【００３８】
図６Ａないし図６Ｃは、本発明によるマウスに収容されるカメラの焦点を調節するための構造を図示した図面である。
【００３９】
図６Ａないし図６Ｃを参照すれば、マウス６００には、カメラ６１０のレンズ焦点調節部６３０と歯車構造を介して連結された外部スイッチ６４０が存在する。外部に連結されたスイッチ６４０を回せば、少なくとも一つ以上の歯車を介して噛み合ったレンズ６２０の焦点調節部６３０が動く。これにより、カメラのレンズ焦点を調節できる。
【００４０】
図７Ａないし図７Ｃは、本発明によるマウスでカメラの焦点距離を調節するための構造を図示した図面である。
【００４１】
例えば、コード認識のために映像を入力される場合、従来には、マウスに収容されたカメラが固定されており、入力される物体の映像サイズも固定される。従って、単に焦点を調節して鮮明度を良好にはできるが、コードイメージ自体の大きさを調節できなかった。コードサイズが小さすぎれば、入力されたコードイメージも小さくなり、これを構成する画素の数が非常に少なくなり、そのために、認識に必要な最小限の画素数を得られない場合が発生する。バーコードの場合、白黒バーの幅の差によるパターンを分析してバーコード値を得る。各バーは、四種の幅の１つであるので、最も幅広のバーに対する必要な最小画素数は４画素である。しかし、コードイメージが小さすぎれば、これに達し得なくなるので、認識が不可能であったり、または誤認識が発生する。反対に、コードが大きすぎれば、コードイメージも大きすぎ、認識範囲を外れて不要な作業まであまりにも詳細に受け入れてしまうという問題点がある。
【００４２】
図７Ａないし図７Ｃを参照すれば、凸レンズ７２２及び凹レンズ７２４が反射部７４０とカメラのレンズ７１２との間に位置する。マウス７００表面の焦点距離調節スイッチ７２０は長いバー状であり、その長いバーの所定位置にそれぞれ凸レンズ７２２及び凹レンズ７２４が連結される。焦点距離スイッチ７２０を一方向に動かし、凸レンズ７２２または凹レンズ７２４を、カメラの外部映像が反射部７４０で反射されてレンズ７１２に達する経路上に位置するように調節する。凸レンズ７２２の場合に外部映像を拡大し、凹レンズ７２４の場合に実際より小さなイメージを獲得できるようにする。従って、適切な外部映像の拡大または縮少が可能である。特に、インターネット接続などのためのコードイメージを入力された場合、コードイメージが大きすぎたり、または小さすぎるとき、凸レンズ７２２または凹レンズ７２４を利用して適切に拡大及び縮少できる。
【００４３】
また、焦点距離調節スイッチ７２０は、前後に移動が可能な構造７３０を備え、カメラレンズ７１２と凸レンズまたは凹レンズとの距離を調節できるようにする。
【００４４】
図８Ａないし図８Ｂは、本発明によるマウスに収容されるカメラのデータ通信のための構造を図示した図面である。
【００４５】
図８Ａ及び図８Ｂを参照すれば、カメラ８００は、無線通信または有線通信を利用してコンピュータとデータを通信できる。図８Ａの場合は無線通信を図示した場合であり、カメラ８００は、自体電力のための電力部８１０、及び外部８５０と無線で通信するためのインターフェース部８０５を備える。無線通信は、赤外線通信、Ｂｌｕｅｔｏｏｔｈ通信などを利用できる。
【００４６】
図８Ｂの場合は、有線通信を図示した場合であり、一般的にＵＳＢ（Ｕｎｉｖｅｒａｌ Ｓｅｒｉａｌ Ｂｕｓ）を使用する。この場合、カメラ８００は、ＵＳＢ ８２０を介して電源を供給を受けるので、自体に電力部を備える必要がないという長所がある。ＵＳＢ有線通信を使用する場合、マウス自体にＵＳＢハブを収容し、カメラをマウスのＵＳＢハブに連結することが望ましい。本発明によるマウスも、有線または無線でコンピュータと連結されうる。
【００４７】
図９Ａないし図９Ｅは、本発明によるマウスの他の実施形態の構造を図示した図面である。
【００４８】
図９Ａないし図９Ｃを参照すれば、前記のマウスの構造とは異なり、カメラ９２０がマウスの内部空間に収容されるのではなく、マウス９００の後部が分離または可動の構造を備える。
【００４９】
マウスの後部（以下、「カメラ収容部」という）９３０には、カメラが固定されて収容されたり、または分離が可能なようにできる。カメラ収容部９３０にカメラ９２０が分離／付着される場合は、図１Ａないし図１Ｃのカメラ収容部の構造を応用できる。
【００５０】
カメラ収容部９３０は、所定の接続部９１０を介してマウス本体と連結される。接続部９１０は、長いヒンジ状であり、具体的には、接続部９１０は、相互補完的な構造の長いバー構造であり、それぞれマウス本体９００及びカメラ収容部９３０に具現される。カメラ収容部９３０は、長いバーをマウス本体の円筒形溝構造に、横から押し入れるか、またははめ込む形態で連結できる。従って、カメラ収容部９３０も、９Ｅでのように、上下に動くことができる。
【００５１】
カメラ９２０が無線通信を行う場合、カメラ収容部９３０は、カメラのための電力部／無線インターフェース部９５０を具現し、有線通信の場合には、マウス本体またはコンピュータと有線で連結する所定のインターフェースをそれぞれ具備しなければならない。
【００５２】
マウスの底には、映像を入力されうる映像入力ウインドウ９４０が存在する。カメラ収容部９３０に収容されたカメラ９２０は、マウスに収容されているときに、映像入力ウインドウ９４０に向かうように設置される。ユーザは、カメラ収容部９３０を上に動かし、底ではない空間上の所定のイメージをカメラレンズに入力させ、画像通信などカメラ固有の機能として使用できる。
【００５３】
図１０Ａ及び図１０Ｃは、図９Ａないし図９Ｅのマウス構造で、接続部の他の構造を図示した図面である。
【００５４】
図１０Ａ及び図１０Ｂを参照すれば、カメラ収容部１０００に具現された接続部１０３０は、ＵＳＢポート１０１０と回転部１０２０とを備える。ＵＳＢポート１０１０は、カメラが有線通信をする場合、マウスに具現されたＵＳＢハブに連結され、図１０Ｃには、ＵＳＢポート１０１０の一実施形態の断面が図示されている。マウスのＵＳＢハブにＵＳＢポートをはめ込んで、カメラ収容部１０００をマウス本体に固定させる。カメラ収容部は、回転部１０２０を自体に備え、回転部１０２０は、一方向が開放された円形状の溝に球をはめ込んだ形態で具現されるので、上下及び左右にいずれも回転可能である。
【００５５】
カメラが無線通信を行う場合、ＵＳＢポートは不要であり、ＵＳＢポート部分は、単にマウス本体と連結される部分として使用すればよい。
【００５６】
図１１Ａないし図１１Ｃは、本発明によるマウスのさらに他の実施形態の構造を図示した図面である。
【００５７】
図１１Ａないし図１１Ｃを参照すれば、マウス１１００には、ＵＳＢ、シリアル、パラレルまたはＩＥＥ１３９４の形態のスロット１１２０があり、カメラ１１１０は、このスロット１１２０に分離／付着可能に具現される。カメラ１１１０が無線通信を行う場合は、ハンガやスロットを変形して収容できる形態に具現可能である。必要によっては、カメラ装置には、受け台、リング、クリップ形態の固定装置が付着されることにより、マウスから分離されるとき、他の所に立てたり固定させ、画像通信などのサービスに利用できる。
【００５８】
以上、本発明についてその望ましい実施形態を中心に説明した。本発明が属する技術分野で当業者は、本発明が本発明の本質的な特性から外れない範囲で変形された形態に具現できるということを理解することができるであろう。従って、開示された実施形態は、限定的な観点ではなく、説明的な観点から考慮されねばならない。本発明の範囲は、前述の説明ではなく、特許請求の範囲に示されており、それと同等な範囲内にあるあらゆる差異は、本発明に含まれるものと解釈される。
【図面の簡単な説明】
【００５９】
【図１Ａ】マウスの一実施形態の構造を示す図である。
【図１Ｂ】マウスの一実施形態の構造を示す図である。
【図１Ｃ】マウスの一実施形態の構造を示す図である。
【図１Ｄ】マウスの一実施形態の構造を示す図である。
【図１Ｅ】マウスの一実施形態の構造を示す図である。
【図２Ａ】マウスに設置されるカメラの一実施形態の構造を示す図である。
【図２Ｂ】マウスに設置されるカメラの一実施形態の構造を示す図である。
【図３Ａ】マウスの他の実施形態の構造を示す図である。
【図３Ｂ】マウスの他の実施形態の構造を示す図である。
【図３Ｃ】マウスの他の実施形態の構造を示す図である。
【図４Ａ】図３Ａないし図３Ｃに図示されたマウスに設置されるカメラの一実施形態の構造を示す図である。
【図４Ｂ】図３Ａないし図３Ｃに図示されたマウスに設置されるカメラの一実施形態の構造を示す図である。
【図４Ｃ】図３Ａないし図３Ｃに図示されたマウスに設置されるカメラの一実施形態の構造を示す図である。
【図５Ａ】カメラを容易に脱着できる構造のマウスを示す図である。
【図５Ｂ】カメラを容易に脱着できる構造のマウスを示す図である。
【図５Ｃ】カメラを容易に脱着できる構造のマウスを示す図である。
【図５Ｄ】カメラを容易に脱着できる構造のマウスを示す図である。
【図５Ｅ】カメラを容易に脱着できる構造のマウスを示す図である。
【図５Ｆ】カメラを容易に脱着できる構造のマウスを示す図である。
【図６Ａ】マウスに設置されるカメラの焦点を調節するための構造を示す図である。
【図６Ｂ】マウスに設置されるカメラの焦点を調節するための構造を示す図である。
【図６Ｃ】マウスに設置されるカメラの焦点を調節するための構造を示す図である。
【図７Ａ】マウスに設置されるカメラの焦点距離を調節するための構造を示す図である。
【図７Ｂ】マウスに設置されるカメラの焦点距離を調節するための構造を示す図である。
【図７Ｃ】マウスに設置されるカメラの焦点距離を調節するための構造を示す図である。
【図８Ａ】マウスに収容されるカメラのデータ通信を示す図である。
【図８Ｂ】マウスに収容されるカメラのデータ通信を示す図である。
【図９Ａ】他の実施形態のマウスの構造を示す図である。
【図９Ｂ】他の実施形態のマウスの構造を示す図である。
【図９Ｃ】他の実施形態のマウスの構造を示す図である。
【図９Ｄ】他の実施形態のマウスの構造を示す図である。
【図９Ｅ】他の実施形態のマウスの構造を示す図である。
【図１０Ａ】他の実施形態の接続部の構造を示す図である。
【図１０Ｂ】他の実施形態の接続部の構造を示す図である。
【図１０Ｃ】他の実施形態の接続部の構造を示す図である。
【図１１Ａ】さらに他の実施形態のマウスの構造を示す図である。
【図１１Ｂ】さらに他の実施形態のマウスの構造を示す図である。
【図１１Ｃ】さらに他の実施形態のマウスの構造を示す図である。
【図１Ａ】
2008516333.tif 000003
【図１Ｂ】
2008516333.tif 000004
【図１Ｃ】
2008516333.tif 000005
【図１Ｄ】
2008516333.tif 000006
【図１Ｅ】
2008516333.tif 000007
【図２Ａ】
2008516333.tif 000008
【図２Ｂ】
2008516333.tif 000009
【図３Ａ】
2008516333.tif 000010
【図３Ｂ】
2008516333.tif 000011
【図３Ｃ】
2008516333.tif 000012
【図４Ａ】
2008516333.tif 000013
【図４Ｂ】
2008516333.tif 000014
【図４Ｃ】
2008516333.tif 000015
【図５Ａ】
2008516333.tif 000016
【図５Ｂ】
2008516333.tif 000017
【図５Ｃ】
2008516333.tif 000018
【図５Ｄ】
2008516333.tif 000019
【図５Ｅ】
2008516333.tif 000020
【図５Ｆ】
2008516333.tif 000021
【図６Ａ】
2008516333.tif 000022
【図６Ｂ】
2008516333.tif 000023
【図６Ｃ】
2008516333.tif 000024
【図７Ａ】
2008516333.tif 000025
【図７Ｂ】
2008516333.tif 000026
【図７Ｃ】
2008516333.tif 000027
【図８Ａ】
2008516333.tif 000028
【図８Ｂ】
2008516333.tif 000029
【図９Ａ】
2008516333.tif 000030
【図９Ｂ】
2008516333.tif 000031
【図９Ｃ】
2008516333.tif 000032
【図９Ｄ】
2008516333.tif 000033
【図９Ｅ】
2008516333.tif 000034
【図１０Ａ】
2008516333.tif 000035
【図１０Ｂ】
2008516333.tif 000036
【図１０Ｃ】
2008516333.tif 000037
【図１１Ａ】
2008516333.tif 000038
【図１１Ｂ】
2008516333.tif 000039
【図１１Ｃ】
2008516333.tif 000040
【国際調査報告】
2008516333.tif 000041
2008516333.tif 000042